(57)【要約】      （修正有）【課題】電気機器の取り外し作業性を向上させる電気機器の取り付け装置を提供する。【解決手段】端子接続器１にレール３の配設方向と交差する方向に摺動可能に支持されるホルダ１１を設け、端子接続器１にレール３の一方の係止片３ａに係止する機器側係止部１２を配置し、ホルダ１１に機器取り付け位置でレール３の他方の係止片３ｂに係止し且つ機器取り外し位置で係止片３ｂから離間するホルダ側係止部１３を配置し、機器取り付け位置で係止片３ｂから機器取り外し位置方向への力が付与された段階でホルダ１１の摺動を規制する規制手段を設け、この規制で弾性変形して係止片３ｂがホルダ側係止部１３を乗り越えた段階で係止片３ｂにホルダ側係止部１３を係止させる弾性部１７をホルダ１１に設け、規制手段は、ホルダ１１に対して所定以上の力が付与された段階で機器取り外し位置への摺動を許容して機器取り外し状態を維持する。【選択図】図１
2009194055.tif 000002
【特許請求の範囲】
【請求項１】
幅方向の両端に係止片を有する断面略ハット形状を成すレールに対して電気機器を取り付ける電気機器の取り付け装置であって、
前記電気機器に支持されて該電気機器上におけるレール配設方向と交差する方向に摺動可能としたホルダを設け、
前記電気機器側には、前記レールの一方の係止片に係止する機器側係止部を配置すると共に、前記ホルダには、その摺動範囲内における機器取り付け位置で前記レールの他方の係止片に係止し且つ機器取り外し位置で前記レールの他方の係止片から離間するホルダ側係止部を配置し、
前記機器取り付け位置におけるホルダに対して前記レールの他方の係止片から前記機器取り外し位置方向へ押し退ける力が前記ホルダ側係止部を介して付与された段階で該ホルダの摺動を規制する規制手段を設け、
前記ホルダには、前記規制手段による摺動の規制により弾性変形して前記レールの他方の係止片が前記ホルダ側係止部を乗り越えるのを許容し、且つ、前記レールの他方の係止片が前記ホルダ側係止部を乗り越えた段階で復帰して前記レールの他方の係止片に前記ホルダ側係止部を係止させる弾性部を設け、
前記規制手段は、前記ホルダに対して所定の大きさ以上の前記機器取り外し位置方向の力が付与された段階で該ホルダの前記機器取り外し位置への摺動を許容して機器取り外し状態を維持する
ことを特徴とする電気機器の取り付け装置。
【請求項２】
前記規制手段は、前記電気機器側に設けられて該電気機器に対して摺動する前記ホルダに向けて突出する機器側突起と、前記ホルダに設けられて前記機器取り付け位置において該ホルダに対して前記機器取り外し位置方向へ押し退ける力が付与された段階で前記電気機器の機器側突起と押圧し合うホルダ側突起とから成っている請求項１に記載の電気機器の取り付け装置。  
【請求項３】
前記機器側突起及びホルダ側突起のいずれか一方が、断面略半円形状を成している請求項２に記載の電気機器の取り付け装置。  
【請求項４】
前記ホルダは平板状を成し、前記ホルダ側突起は前記ホルダの平面に配置してあると共に、前記機器側突起は前記ホルダの平面と対向する面に配置してある請求項２又は３に記載の電気機器の取り付け装置。
【請求項５】
前記ホルダは平板状を成し、前記ホルダ側突起は前記ホルダの側面に配置してあると共に、前記機器側突起は前記ホルダの側面と対向する面に配置してある請求項２又は３に記載の電気機器の取り付け装置。
【発明の詳細な説明】
【技術分野】
【０００１】
本発明は、断面略ハット形状を成すレール、例えば、配電盤や配線盤に装備されたＤＩＮ規格のレールに対して、コントローラなどの電気機器を取り付ける際に用いられる電気機器の取り付け装置に関するものである。
【背景技術】
【０００２】
上記したコントローラなどの電気機器は、その正面側に接続端子部を有していて、配電盤や配線盤に装備された幅方向の両端に係止片を有する断面略ハット形状を成すＤＩＮ規格のレールに対して、その背面側に配置される取り付け装置を介して取り付けられるようになっている。
上記電気機器の取り付けに用いられる取り付け装置としては、例えば、電気機器の背面側に支持されるホルダを備えたものがあり、電気機器側には、レールの一方の係止片に係止する機器側係止部が配置され、ホルダには、レールの他方の係止片に係止するホルダ側係止部が配置されている。
【０００３】
このホルダは、電気機器上においてレール配設方向と交差する方向に摺動可能となっており、電気機器をレールに取り付ける段階において、レールの他方の係止片からホルダ側係止部を介して付与される押圧力によって、機器取り外し方向に押し退けられるようになっていて、レールの他方の係止片がホルダ側係止部を乗り越えると、自動的に復帰するようになっている（例えば、特許文献１参照）。
【特許文献１】特許第3352878号
【発明の開示】
【発明が解決しようとする課題】
【０００４】
ところが、上記した従来における電気機器の取り付け装置において、電気機器をレールに取り付ける段階では、ホルダがレールの他方の係止片に押圧されて機器取り外し方向に一旦摺動して、レールの他方の係止片がホルダ側係止部を乗り越えてから自動的に復帰するようになっているので、電気機器のレールに対する取り付けを簡単に行うことはできるものの、電気機器をレールから取り外す段階では、ホルダを機器取り外し状態に維持するために、ドライバなどの工具を用いてホルダが自動復帰するのを抑える必要があり、電気機器の取り外し作業性が良いとは言えないという問題があり、この問題を解決することが従来の課題となっていた。
【０００５】
本発明は、上記した従来の課題に着目してなされたもので、電気機器のレールに対する取り付けを簡単に行うことができるのは勿論のこと、電気機器の取り外し作業性の向上をも実現することが可能である電気機器の取り付け装置を提供することを目的としている。
【課題を解決するための手段】
【０００６】
上述した目的を達成するべく本発明の請求項１に係る発明は、幅方向の両端に係止片を有する断面略ハット形状を成すレールに対して電気機器を取り付ける電気機器の取り付け装置であって、前記電気機器に支持されて該電気機器上におけるレール配設方向と交差する方向に摺動可能としたホルダを設け、前記電気機器側には、前記レールの一方の係止片に係止する機器側係止部を配置すると共に、前記ホルダには、その摺動範囲内における機器取り付け位置で前記レールの他方の係止片に係止し且つ機器取り外し位置で前記レールの他方の係止片から離間するホルダ側係止部を配置し、前記機器取り付け位置におけるホルダに対して前記レールの他方の係止片から前記機器取り外し位置方向へ押し退ける力が前記ホルダ側係止部を介して付与された段階で該ホルダの摺動を規制する規制手段を設け、前記ホルダには、前記規制手段による摺動の規制により弾性変形して前記レールの他方の係止片が前記ホルダ側係止部を乗り越えるのを許容し、且つ、前記レールの他方の係止片が前記ホルダ側係止部を乗り越えた段階で復帰して前記レールの他方の係止片に前記ホルダ側係止部を係止させる弾性部を設け、前記規制手段は、前記ホルダに対して所定の大きさ以上の前記機器取り外し位置方向の力が付与された段階で該ホルダの前記機器取り外し位置への摺動を許容して機器取り外し状態を維持する構成としたことを特徴としており、このような構成の電気機器の取り付け装置を前述した課題を解決するための手段としている。
【０００７】
この場合、レールの一方の係止片に係止する機器側係止部は、電気機器自体に設けることができるほか、電気機器に装着される別部品に設けることができる。
また、ホルダには、合成樹脂や金属を採用することができるが、いずれの場合も全体的に又は部分的に弾性を有していることが必須であり、成形のし易さを考慮して、ポリアセタールなどの柔軟な合成樹脂を用いることが望ましい。
【０００８】
このような構成を成す電気機器の取り付け装置では、電気機器をレールに取り付ける段階において、機器取り付け位置にあるホルダのホルダ側係止部がレールの他方の係止片に押圧されると、規制手段により摺動が規制されるホルダの弾性部が弾性変形して、レールの他方の係止片がホルダ側係止部を乗り越えるのを許容し、そして、レールの他方の係止片がホルダ側係止部を乗り越えた時点で自動的に復帰して、他方の係止片にホルダ側係止部を係止させるようになっているので、電気機器のレールに対する取り付けが容易に成されることとなる。
【０００９】
一方、電気機器をレールから取り外す段階において、ホルダに対して所定の大きさ以上の機器取り外し位置方向の力を付与すると、規制手段による規制を受けつつもホルダの機器取り外し位置への摺動が許容されて、規制手段によって機器取り外し状態が維持されるので、ドライバなどの工具を用いてホルダが自動復帰するのを抑える必要がなく、その結果、電気機器の取り外し作業性が向上することとなる。
【００１０】
本発明の請求項２に係る電気機器の取り付け装置において、前記規制手段は、前記電気機器側に設けられて該電気機器に対して摺動する前記ホルダに向けて突出する機器側突起と、前記ホルダに設けられて前記機器取り付け位置において該ホルダに対して前記機器取り外し位置方向へ押し退ける力が付与された段階で前記電気機器の機器側突起と押圧し合うホルダ側突起とから成っている構成としている。
【００１１】
このような構成とすると、電気機器をレールに取り付ける段階において、レールの他方の係止片に押圧される機器取り付け位置にあるホルダの摺動を抑えて弾性部を確実に弾性変形させ得ることとなり、一方、電気機器をレールから取り外す段階において、機器取り外し位置へ移動したホルダの機器取り外し状態を確実に維持し得ることとなる。
この際、電気機器をレールに取り付ける段階においてホルダの摺動を抑え得る力（レールでホルダを機器取り外し位置方向に押圧する力）、及び、電気機器をレールから取り外す段階においてホルダを摺動させる力（所定の大きさ以上の機器取り外し位置方向の力）は、電気機器の機器側突起と押圧し合うホルダ側突起の大きさで決まるので、電気機器の取り付け仕様（取り外し頻度の多さなどの条件）に応じて、ホルダ側突起の大きさを決定することが望ましい。
【００１２】
本発明の請求項３に係る電気機器の取り付け装置は、前記機器側突起及びホルダ側突起のいずれか一方が、断面略半円形状を成している構成としており、この構成とすると、電気機器をレールに取り付ける段階におけるホルダの自動復帰や、電気機器をレールから取り外す段階においてホルダが所定の大きさ以上の機器取り外し位置方向の力を受けた際の乗り越えが円滑に成されることとなる。
【００１３】
本発明の請求項４に係る電気機器の取り付け装置において、前記ホルダは平板状を成し、前記ホルダ側突起は前記ホルダの平面に配置してあると共に、前記機器側突起は前記ホルダの平面と対向する面に配置してある構成とし、本発明の請求項５に係る電気機器の取り付け装置において、前記ホルダは平板状を成し、前記ホルダ側突起は前記ホルダの側面に配置してあると共に、前記機器側突起は前記ホルダの側面と対向する面に配置してある構成としており、電気機器の取り付け仕様に応じて、いずれかの構成を採用することができ、いずれの場合も、電気機器をレールに取り付ける段階において、レールの他方の係止片に押圧される機器取り付け位置にあるホルダの摺動を確実に抑えて弾性部を確実に弾性変形させ得ることとなり、一方、電気機器をレールから取り外す段階において、機器取り外し位置へ移動したホルダの機器取り外し状態を確実に維持し得ることとなる。
【発明の効果】
【００１４】
本発明の請求項１に係る電気機器の取り付け装置では、上記した構成としているので、電気機器のレールに対する取り付けを簡単に行うことができるのは言うまでもなく、電気機器の取り外し作業性の向上をも実現することが可能であるという非常に優れた効果がもたらされる。
また、本発明の請求項２〜５に係る電気機器の取り付け装置において、上記した構成としているので、電気機器をレールから取り外す段階において、機器取り外し位置へ移動したホルダの機器取り外し状態を確実に維持することができるという非常に優れた効果がもたらされる。
【発明を実施するための最良の形態】
【００１５】
以下、本発明を図面に基づいて説明する。
［第１実施形態］
図１〜図５は、本発明の一実施形態に係る電気機器の取り付け装置を示しており、この実施形態では、本発明に係る電気機器の取り付け装置を配電盤に装備したＤＩＮ規格のレールに対する端子接続器の取り付けに用いた場合を例に挙げて説明する。
【００１６】
図１に示すように、上記した端子接続器１は、その正面側（図１（ｂ）右側）に接続端子部２を有していて、配電盤に装備された幅方向の両端に係止片３ａ，３ｂを有する断面略ハット形状を成すＤＩＮ規格のレール３に対して、その背面側（図１（ｂ）左側）に配置される取り付け装置１０を介して取り付けるようになっている。
このような端子接続器１の取り付けに用いるこの実施形態に係る取り付け装置１０は、図２及び図３にも示すように、端子接続器１の背面側に支持される平板状を成す合成樹脂製のホルダ１１を備えており、端子接続器１の背面には、水平方向に配設したレール３の上側に位置する一方の係止片３ａに係止する機器側係止部１２が設けてあると共に、ホルダ１１には、レール３の下側に位置する他方の係止片３ｂに係止するホルダ側係止部１３が設けてあって、ホルダ１１は、端子接続器１の背面上においてレール配設方向と交差する方向、すなわち、上下方向に摺動可能となっている。
【００１７】
この場合、端子接続器１の背面には、ホルダ１１の表面に向けて突出する機器側突起１５が設けてあると共に、ホルダ１１の表面には、図４に示すように、端子接続器１の背面に向けて突出する断面略半円形状を成すホルダ側突起１６が設けてあり、これらの突起１５，１６は、図１及び図２（ａ）に示す機器取り付け位置におけるホルダ１１に対してレール３の他方の係止片３ｂから図２（ｂ）に示す機器取り外し位置方向へ押し退ける力が先端テーパ状のホルダ側係止部１３を介して付与された段階で互いに押圧し合って、ホルダ１１の摺動を規制する規制手段として機能するようになっている。
【００１８】
また、ホルダ１１には、機器側突起１５及びホルダ側突起１６の相互押圧による摺動の規制により弾性変形してレール３の他方の係止片３ｂがホルダ側係止部１３を乗り越えるのを許容すると共に、レール３の他方の係止片３ｂがホルダ側係止部１３を乗り越えた段階で復帰してレール３の他方の係止片３ｂにホルダ側係止部１３を係止させる弾性部１７が設けてある。
【００１９】
さらに、上記規制手段としての機器側突起１５及びホルダ側突起１６は、ホルダ１１に対して所定の大きさ以上の機器取り外し位置方向の力が付与された段階において、互いに乗り越えてホルダ１１の機器取り外し位置への摺動を許容して機器取り外し状態を維持し得るようになっている。
なお、図中における符号１８は係止孔であり、機器取り付け位置及び機器取り外し位置において機器側突起１５とそれぞれ係止して、ホルダ１１を確実に停止させるようになっている。
【００２０】
このような構成を成す取り付け装置１０では、図５（ａ）に示すように、端子接続器１をレール３に取り付ける段階において、図５（ｂ）に示すように、端子接続器１の背面の機器側係止部１２に、レール３の上側に位置する一方の係止片３ａを係止させた後、図５（ｃ）に示すように、機器取り付け位置にあるホルダ１１のホルダ側係止部１３がレール３の他方の係止片３ｂに押圧されると、機器側突起１５及びホルダ側突起１６の相互押圧により摺動が規制されるホルダ１１の弾性部１７が弾性変形して、レール３の他方の係止片３ｂがホルダ側係止部１３を乗り越えるのを許容し、そして、図５（ｄ）に示すように、レール３の他方の係止片３ｂがホルダ側係止部１３を乗り越えた時点で自動的に復帰して、他方の係止片３ｂにホルダ側係止部１３を係止させるようになっているので、端子接続器１のレール３に対する取り付けが容易に成されることとなる。
【００２１】
一方、端子接続器１をレール３から取り外す段階において、ホルダ１１に対して所定の大きさ以上の機器取り外し位置方向の力を付与すると、機器側突起１５及びホルダ側突起１６同士が互いに押圧し合いつつも互いに乗り越えて、ホルダ１１の機器取り外し位置への摺動を許容して、機器側突起１５及びホルダ側突起１６によって機器取り外し状態が維持されるので、ドライバなどの工具を用いてホルダ１１が自動復帰するのを抑える必要がなく、その結果、電気機器の取り外し作業性が向上することとなる。
［第２実施形態］
図６は、本発明の他の実施形態に係る電気機器の取り付け装置を示しており、この実施形態においても、本発明に係る電気機器の取り付け装置を配電盤に装備したＤＩＮ規格のレールに対する端子接続器の取り付けに用いた場合を例に挙げて説明する。
【００２２】
この実施形態に係る計器の取り付け装置１０が先の実施形態に係る計器の取り付け装置１０と相違するところは、平板状を成すホルダ１１の側面に隙間Ｓを介してホルダ側突起２６を配置していると共に、機器側突起２５を端子接続器１のホルダ１１の側面と対向する面に配置し、上記隙間Ｓを設けることでホルダ側突起２６自体が弾性部２７を兼ねるようにした点にあり、ホルダ１１の側面におけるホルダ側突起２６の上下には、第１実施形態の取り付け装置１０の係止孔１８に相当する係止溝２８が配置してある。
【００２３】
この取り付け装置１０においても、上記した第１実施形態に係る電気機器の取り付け装置１０と同じく、端子接続器１をレール３から取り外す段階において、ホルダ１１に対して所定の大きさ以上の機器取り外し位置方向の力を付与すると、弾性部２７を兼ねるホルダ側突起２６が弾性変形することで、機器側突起２５及びホルダ側突起２６同士が互いに乗り越えてホルダ１１の機器取り外し位置への摺動を許容して、機器側突起２５及びホルダ側突起２６によって機器取り外し状態を維持し得るので、ドライバなどの工具を用いてホルダ１１が自動復帰するのを抑える必要がなく、その結果、電気機器の取り外し作業性が向上することとなる。
【００２４】
上記した実施形態では、いずれも本発明に係る電気機器の取り付け装置を配電盤に装備したＤＩＮ規格のレールに対する端子接続器の取り付けに用いた場合を例に挙げて説明したが、これに限定されるものではない。
【図面の簡単な説明】
【００２５】
【図１】本発明の一実施形態に係る電気機器の取り付け装置の正面説明図（ａ），側面説明図（ｂ）及び背面説明図（ｃ）である。
【図２】図１に示した取り付け装置のホルダが機器取り付け位置にある状態の断面説明図（ａ）及びホルダが機器取り外し位置にある状態の断面説明図（ｂ）である。
【図３】図１に示した取り付け装置のホルダの正面説明図（ａ），側面説明図（ｂ）及び背面説明図（ｃ）である。
【図４】図３に示したホルダの断面説明図である。
【図５】図１おける取り付け装置による電気機器のレールに対する取り付け要領を示す断面説明図（ａ）〜（ｄ）である。
【図６】本発明の他の実施形態に係る電気機器の取り付け装置の背面説明図（ａ）及び側面説明図（ｂ）である。
【符号の説明】
【００２６】
１  端子接続器
２  端子接続部
３  レール
３ａ  一方の係止片
３ｂ  他方の係止片
１０  取り付け装置
１１  ホルダ
１２  機器側係止部
１３  ホルダ側係止部
１５，２５  機器側突起（規制手段）
１６，２６  ホルダ側突起（規制手段）
１７，２７  弾性部
１８  係止孔
２８  係止溝
【図１】
2009194055.tif 000003
【図２】
2009194055.tif 000004
【図３】
2009194055.tif 000005
【図４】
2009194055.tif 000006
【図５】
2009194055.tif 000007
【図６】
2009194055.tif 000008